(57)【要約】      （修正有）【課題】申込用紙への記入作業を容易にするとともに記入漏れや記入間違いを防止する申込用紙記入情報処理システムを提供する。【解決手段】申込者の住居に関する情報を得るための質問事項が階層的に設定されており、このような階層的に設定された質問事項に応答する記入欄が、住居情報記入欄３３における各種チェックボックス３３１〜３３６である。即ち、最上位の階層の質問事項が、申込者の住居の種類が持ち家と賃貸とのうち何れなのかという質問事項であり、これらの質問事項に応答する記入欄が、チェックボックス３３１，３３２である。チェックボックス３３１がチェックされた場合、下層の質問事項である住宅ローンの有無を応答するためのチェックボックス３３３，３３４に対応するチェックボックス画像が強調表示される。【選択図】図２
0003169832.tif 000002
【実用新案登録請求の範囲】
【請求項１】
所定の申し込みに必要な記入事項として、階層的に設定された質問事項の各々に対応する応答がそれぞれ記入される各記入欄を含み、コード化パターンが当該各記入欄のそれぞれに少なくとも印刷された申込用紙と、
前記申込用紙における前記各記入欄のうち、記入対象の記入欄に対して応答を申込者が記入するために用いられ、前記申込者による記入がなされている間に記入情報を送信する電子ペンと、
前記申込用紙を示す申込用紙画像であって、前記各記入欄のそれぞれを示す記入欄画像を含む申込用紙画像を表示デバイスに表示させた状態で、前記電子ペンからの前記記入情報を受信すると、当該記入情報に基づいて、前記申込者により記入された前記応答を示す１以上のストロークを描画し、前記記入対象の記入欄を示す記入欄画像内に当該ストロークを表示させるコンピュータ装置と、
を備える申込用紙記入情報処理システムであって、
前記申込用紙に含まれる前記各記入欄のうち、所定階層の質問事項についての記入欄に対する応答が前記電子ペンにより記入されると、前記コンピュータ装置は、記入された前記応答の内容に応じて、当該所定階層よりも下層の質問事項についての記入欄を示す記入欄画像を強調表示させる、
ことを特徴とする申込用紙記入情報処理システム。
【請求項２】
前記コンピュータ装置は、
前記所定階層の質問事項に対する前記応答により、さらに前記下層の質問事項についての応答が必要となる場合、前記下層の質問事項についての前記記入欄画像を第１の形態で強調表示させ、
前記所定階層の質問事項に対する前記応答により、前記下層の質問事項についての応答が不要となる場合、前記下層の質問事項についての前記記入欄画像を第２の形態で強調表示させる、
ことを特徴とする請求項１に記載の申込用紙記入情報処理システム。
【考案の詳細な説明】
【技術分野】
【０００１】
本考案は、所定の申し込みに必要な事項が電子ペンにより申込用紙に記入される申込用紙記入情報処理システムであって、申込用紙への記入作業を容易にするとともに記入漏れや記入間違いを防止することが可能な申込用紙記入情報処理システムに関する。
【背景技術】
【０００２】
記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。利用者が専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、利用者が書き込んだ文字、画像等の記入情報が認識される。そして、この記入情報が、データ通信ユニットによりアノトペンから近くのコンピュータ装置等に送信される（例えば、特許文献１参照）。
【０００３】
このような電子ペン及びその専用紙は、各種各様の分野に適用することができる（例えば、特許文献２，３参照）。
例えば、金融機関に対してカードの発行を申し込む者（以下、「申込者」と呼ぶ）は、当該金融機関により指定された申込用紙に対して、氏名や住所等の必要事項を記入する。このような申込用紙として、電子ペンの専用紙を採用し、記入デバイスとして、電子ペンを採用することができる。この場合、申込者が、電子ペンで申込用紙（専用紙）に必要事項を記入すると、その記入情報がコンピュータ装置等に送信される。コンピュータ装置等は、当該記入情報に基づいて各種処理を実行する。
なお、このようにして構築されるシステム、即ち、電子ペン、専用紙からなる申込用紙、及びコンピュータ装置等を含むシステムを、以下、申込用紙記入情報処理システムと呼ぶ。
【先行技術文献】
【特許文献】
【０００４】
【特許文献１】特許第３８７２４９８号公報
【特許文献２】特開２００４−１２７１９７２号公報
【特許文献３】特開２００４−０９４４１９号公報
【考案の概要】
【考案が解決しようとする課題】
【０００５】
しかしながら、申込者は、申し込みに必要な事項を、申込用紙内の指定箇所に記入しなければならないところ、当該指定箇所を申込用紙内から探し出すまでに長時間を要する等して、記入作業に煩わしさや困難さを覚える場合がある。
さらに、申込者の中には、当該指定個所への記入を失念したり、当該指定個所の存在自体に気付かない者、即ち当該指定個所に対する記入漏れをしてしまう者もいる。
一方で、申込者の中には、当該指定個所以外の箇所に対する不必要な記入、即ち記入間違いをしてしまう者もいる。
【０００６】
本考案は、このような状況に鑑みてなされたものであり、申込用紙の記入作業を容易にし、申込用紙への記入漏れや記入間違いを防止することを目的とする。
【課題を解決するための手段】
【０００７】
本考案に係る申込用紙記入情報処理システムは、所定の申し込みに必要な記入事項として、階層的に設定された質問事項の各々に対応する応答がそれぞれ記入される各記入欄を含み、コード化パターンが当該各記入欄のそれぞれに少なくとも印刷された申込用紙と、前記申込用紙における前記各記入欄のうち、記入対象の記入欄に対して応答を申込者が記入するために用いられ、前記申込者による記入がなされている間に記入情報を送信する電子ペンと、前記申込用紙を示す申込用紙画像であって、前記各記入欄のそれぞれを示す記入欄画像を含む申込用紙画像を表示デバイスに表示させた状態で、前記電子ペンからの前記記入情報を受信すると、当該記入情報に基づいて、前記申込者により記入された前記応答を示す１以上のストロークを描画し、前記記入対象の記入欄を示す記入欄画像内に当該ストロークを表示させるコンピュータ装置と、を備える申込用紙記入情報処理システムであって、前記申込用紙に含まれる前記各記入欄のうち、所定階層の質問事項についての記入欄に対する応答が前記電子ペンにより記入されると、前記コンピュータ装置は、記入された前記応答の内容に応じて、当該所定階層よりも下層の質問事項についての記入欄を示す記入欄画像を強調表示させる、ことを特徴とする。
【０００８】
この構成によれば、申込者が、申込用紙に含まれる前記各記入欄のうち、所定階層の質問事項についての記入欄に対する応答を電子ペンで記入すると、記入された応答の内容に応じて、当該所定階層よりも下層の質問事項についての記入欄画像が強調表示される。
申込者は、このような強調表示された記入欄画像を視認することで、下層の質問事項についての記入欄を容易に視認することができる。これにより、申込者にとって、申込用紙への記入作業が容易となり、記入漏れや記入間違いを防止することができる。
【０００９】
上記申込用紙記入情報処理システムにおいて、前記コンピュータ装置は、前記所定階層の質問事項に対する前記応答により、さらに前記下層の質問事項についての応答が必要となる場合、前記下層の質問事項についての前記記入欄画像を第１の形態で強調表示させ、前記所定階層の質問事項に対する前記応答により、前記下層の質問事項についての応答が不要となる場合、前記下層の質問事項についての前記記入欄画像を第２の形態で強調表示させるとよい。
【００１０】
この構成により、申込者は、下層の質問事項についての記入欄画像が第１の形態で強調表示されていた場合には、当該記入欄画像に対応する記入欄に対する記入が必要である一方、下層の質問事項についての記入欄画像が第２の形態で強調表示されていた場合には、当該記入欄画像に対応する記入欄に対する記入が不要であることを容易かつ即座に視認できる。
これにより、申込者にとって、申込用紙への記入作業がより一段と容易となり、記入漏れや記入間違いをより効果的に防止することができる。
【考案の効果】
【００１１】
本考案によれば、申込者にとって、申込用紙への記入作業が容易となり、記入漏れや記入間違いを防止することが可能になる。
【図面の簡単な説明】
【００１２】
【図１】本考案の一実施形態に係る申込用紙記入情報処理システムのシステム構成図である。
【図２】本実施形態における申込用紙の記入面を示す模式図である。
【図３】ドットパターンにおけるドットの配置と変換される値との関係を示す説明図である。
【図４】（Ａ）は、ドットパターンを模式的に示し、（Ｂ）は、それに対応する情報の例を示す図である。
【図５】電子ペンの構造を示す概略図である。
【図６】本考案の一実施形態に係る申込用紙記入情報処理システムのうち、受付端末とデータ保存用サーバとの機能ブロック図である。
【図７】受付端末に表示される申込用紙画像の一例を示す図である。
【図８】受付端末に表示される申込用紙画像の一例を示す図である。
【図９】受付端末に表示される申込用紙画像の一例を示す図である。
【図１０】受付端末に表示される申込用紙画像の一例を示す図である。
【図１１】受付端末に表示される申込用紙画像の一例を示す図である。
【考案を実施するための形態】
【００１３】
以下、図面を参照しながら、本考案の申込用紙記入情報処理システムの実施形態について説明する。
【００１４】
〔申込用紙記入情報処理システムの構成〕
図１は、本考案の一実施形態に係る申込用紙記入情報処理システム１０の概要を示す。本実施形態に係る申込用紙記入情報処理システム１０は、所定の金融機関における、カード発行の申し込みのために構築されている。図１に示すように、申込用紙記入情報処理システム１０は、電子ペン１と、受付端末２と、申込用紙３と、データ保存用サーバ４と、を有する。
【００１５】
申込者は、電子ペン１を用いて、ドットパターンが印刷された申込用紙３に対して、住所や氏名等の必要事項を、手書きのストローク群により記入することができる。電子ペン１からの記入情報は、Ｂｌｕｅｔｏｏｔｈ（登録商標）により、受付端末２に無線送信される。
【００１６】
受付端末２は、パーソナルコンピュータ（Ｐｅｒｓｏｎａｌ  ｃｏｍｐｕｔｅｒ）等で構成されている。受付端末２は、図示せぬ所定のネットワークに接続されており、当該ネットワークを介してデータ保存用サーバ４と各種情報を送受信する。
受付端末２は、申込用紙３に電子ペン１で記入されている際に当該電子ペン１から逐次送信されてくる記入情報を受信すると、これらの記入情報に基づいて、申込用紙３に記入されたのと同様のストローク群を描画する。受付端末２は、このようなストローク群を、ディスプレイに表示したり、文字認識処理を施して文字情報にしてデータ保存用サーバ４に送信する。
【００１７】
データ保存用サーバ４は、受付端末２から送信されてきた文字情報を受信すると、申込用紙３に記入された内容として記憶する。
【００１８】
［申込用紙］
図２は、本実施形態における申込用紙３の記入面を示す模式図である。
図２に示すように、申込用紙３には、申込日記入欄３１と、氏名住所記入欄３２と、住居情報記入欄３３と、収入源記入欄３４と、勤務先記入欄３５と、学校記入欄３６とが設けられている。
【００１９】
申込日記入欄３１には、申込の年月日の各々が記入されるマスが設けられている。氏名住所記入欄３２には、申込者の氏名及び住所の各々が記入される記入欄が設けられている。
【００２０】
住居情報記入欄３３には、申込者の住居に関する情報の記入用として、各種チェックボックス３３１〜３３６が設けられている。金融機関は、各種チェックボックス３３１〜３３６の各々に対するチェックの状況（「レ」の記号等の記入状況）によって、申込者の住居に関する情報を入手する。金融機関は、このような情報に基づいて、カードの発行により生じるリスクを評価することができる。
具体的には、金融機関は、先ず、申込者の住居に関する情報のひとつとして、申込者の住居の種類が持ち家と賃貸とのうち何れなのかを入手する必要がある。このため、申込者が持ち家に住んでいる場合にチェックされるチェックボックス３３１と、申込者が賃貸の住宅に住んでいる場合にチェックされるチェックボックス３３２とが、住居情報記入欄３３に設けられている。
さらに、申込者の住居の種類が持ち家の場合、金融機関は、申込者の住居に関する情報として、住宅ローンの有無を入手する必要がある。このため、住宅ローンがある場合にチェックされるチェックボックス３３３と、住宅ローンがない場合にチェックされるチェックボックス３３４とが、住居情報記入欄３３に設けられている。即ち、申込者は、チェックボックス３３１をチェックした場合には、さらに、チェックボックス３３３，３３４のうち何れか一方をチェックする必要がある。
一方、申込者の住居の種類が賃貸の場合、金融機関は、申込者の住居に関する情報のひとつとして、賃借支払いの有無を入手する必要がある。このため、賃借支払いがある場合にチェックされるチェックボックス３３５と、賃借支払いがない場合にチェックされるチェックボックス３３６とが、住居情報記入欄３３に設けられている。即ち、申込者は、チェックボックス３３２をチェックした場合には、さらに、チェックボックス３３５，３３６のうち何れか一方をチェックする必要がある。
【００２１】
収入源記入欄３４には、申込者の収入源に関する情報の記入用として、各種チェックボックス３４１〜３４８が設けられている。金融機関は、各種チェックボックス３４１〜３４８の各々に対するチェックの状況（レの記号等の記入状況）によって、申込者の収入源に関する情報を入手する。金融機関は、このような情報に基づいて、カードの発行により生じるリスクを評価することができる。
具体的には、金融機関は、申込者本人が収入のある者と収入のない者と学生とのうちの何れに該当するのかという情報を、申込者の収入源に関する情報のひとつとして入手する必要がある。
さらに、申込者が収入のある者の場合、金融機関は、申込者の詳細な勤務形態の情報、即ち一般企業に勤務する者と、公務員や学校に勤務する者等と、自営業の者と、自由業の者と、パートやアルバイトの者と、上記以外の者とのうち申込者は何れに該当するのかを、申込者の収入源に関する情報のひとつとして入手する必要がある。このため、申込者が一般企業に勤務する者の場合にチェックされるチェックボックス３４１と、申込者が公務員や学校に勤務する者等の場合にチェックされるチェックボックス３４２と、申込者が自営業の者の場合にチェックされるチェックボックス３４３と、申込者が自由業の者の場合にチェックされるチェックボックス３４４と、申込者がパートやアルバイトの者にチェックされるチェックボックス３４５と、申込者が上記以外の者にチェックされるチェックボックス３４６とが、収入源記入欄３４に設けられている。
一方、申込者が未収入のある者の場合、金融機関は、申込者の配偶者に収入がないと、リスクが高すぎて当該申込者に対してカードを発行することはできないため、申込者が、その配偶者に収入のある者であることを、申込者の収入源に関する情報のひとつとして入手する必要がある。このため、申込者が、その配偶者に収入のある者である場合にチェックされるチェックボックス３４７が、収入源記入欄３４に設けられている。
また、金融機関は、申込者が学生の場合にはそのことを、申込者の収入源に関する情報のひとつとして入手する必要がある。このため、申込者が学生である場合にチェックされるチェックボックス３４８が、収入源記入欄３４に設けられている。
【００２２】
勤務先記入欄３５には、申込者が収入のある者である場合に、その勤務先の名称が記入される記入欄３５１と、当該勤務先の所在地が記入される記入欄３５２とが設けられている。即ち、申込者は、収入源記入欄３４内のチェックボックス３４１〜３４６のうちの何れかをチェックした場合には、勤務先記入欄３５における記入欄３５１，３５２を記入する必要がある。
【００２３】
学校記入欄３６には、申込者が学生である場合に、在籍している学校名が記入される記入欄３６１と、当該学校の所在地が記入される記入欄３６２とが設けられている。即ち、申込者は、収入源記入欄３４内のチェックボックス３４８をチェックした場合には、学校記入欄３６における記入欄３６１，３６２を記入する必要がある。
【００２４】
［ドットパターン］
このような申込用紙３には、アノト方式のドットパターンが形成されている。より具体的には本実施形態では、申込用紙３のうち、申込日記入欄３１〜学校記入欄３６における電子ペン１の記入対象の箇所に対して、アノト方式のドットパターンが形成されている。
以下、このようにして申込用紙３に形成されるアノト方式のドットパターン（コード化パターン）について説明する。
図３は、ドットパターンのドットと、そのドットが変換される値との関係を説明する図である。
図３に示すように、ドットパターンの各ドットは、その位置によって所定の値に対応付けられている。即ち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、ドットパターン用紙の位置座標が決定されるよう構成されている。
【００２５】
図４（Ａ）は、あるドットパターンの配列を示している。図４（Ａ）に示すように、縦横約２ｍｍの範囲内に６×６個のドットが、ドットパターン用紙のどの部分から６×６ドットを取ってもユニークなパターンとなるように配置されている。これら３６個のドットにより形成されるドットパターンは位置座標（例えば、そのドットパターンがドットパターン用紙においてどの位置にあるのか）を保持している。図４（Ｂ）は、図４（Ａ）に示す各ドットを、格子の基準位置からのシフト方向によって、図３に示す規則性に基づいて対応付けられた値に変換したものである。この変換は、ドットパターンを撮影する電子ペン１によって行われる。
【００２６】
［電子ペン］
次に電子ペン１について説明する。
図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、申込者は、電子ペン１のペン先部１０３を申込用紙３上に当接させて、文字等の手書きのストロークを記入したり、タップ（ペン先部１０３による申込用紙３への軽叩）したりする。ここで、電子ペン１のペン先部１０３が申込用紙３に最初に接触することをペンダウンと呼び、電子ペン１のペン先部１０３が接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
また、電子ペン１をペンダウンすることでペン先部１０３から申込用紙３上に流出するインクにより、ストロークと略同一軌道の軌跡が申込用紙３上に書き込まれる。
【００２７】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ：記入された時刻情報）を示す時刻情報を発信し、プロセッサ１０８に供給する。圧力センサ１０７は、申込者が電子ペン１により申込用紙３に文字やマークを書いたりタップしたりする際にペン先部１０３からインクカートリッジ１０４を通じて与えられる圧力、即ち筆圧を検出し、その値をプロセッサ１０８へ伝送する。
【００２８】
プロセッサ１０８は、圧力センサ１０７から与えられる筆圧データに基づいて、ＬＥＤ１０５及びＣＭＯＳカメラ１０６のスイッチのオン／オフを切替える。即ち、申込者が電子ペン１で申込用紙３に文字等を書くと、ペン先部１０３に筆圧がかかり、圧力センサ１０７によって所定値以上の筆圧が検出されたときに、プロセッサ１０８は、申込者が記入を開始したと判定して、ＬＥＤ１０５及びＣＭＯＳカメラ１０６を作動させる。そして、通信ユニット１１１が、圧力センサ１０７により検出されたペンダウン情報と、後述するペンＩＤとを関連付けて、記入情報として受付端末２へ送信する。また、申込者が１つのストロークを記入し終えて電子ペン１を申込用紙３から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として受付端末２へ送信する。
【００２９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、申込用紙３上のペン先部１０３近傍に向けて赤外線を照射する。その領域は、ペン先部１０３が申込用紙３に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照射された領域内におけるドットパターンを撮影し、そのドットパターンの画像データをプロセッサ１０８に供給する。
ここで、ドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図４（Ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３０】
プロセッサ１０８は、申込者の記入が行われる間、ＣＭＯＳカメラ１０６によって供給される画像データのドットパターンから、申込者が記入する手書きのストローク（筆跡）の申込用紙３におけるＸ，Ｙ座標（単に「位置座標」、「座標情報」とも呼ぶ）を連続的に演算していく。即ち、プロセッサ１０８は、ＣＭＯＳカメラ１０６によって供給される、図４（Ａ）に示されるようなドットパターンの画像データを図４（Ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因する、ドットの画像上の配列を補正する回転補正処理機能を備えており、位置座標を演算する際に用いられる。そして、プロセッサ１０８は、リアルタイムクロック１１０から発信される現在時刻（タイムスタンプ）、筆圧データ及びＸ，Ｙ座標データを関連付ける。以後、これらの関連付けたデータを、まとめて「座標属性情報」と呼ぶ。なお、申込用紙３における６×６のドットパターンは、申込用紙３内で重複することはないため、申込者が電子ペン１で文字等を記入すると、記入された位置が申込用紙３のどの位置に当たるかを、プロセッサ１０８による座標演算により特定することができる。
【００３１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、座標属性情報（時刻情報と、筆圧データと、Ｘ，Ｙ座標データ）とを関連付けて、記入情報として受付端末２へ送信する。通信ユニット１１１による受付端末２への送信は、Ｂｌｕｅｔｏｏｔｈ（登録商標）等の無線送信によって、即時的かつ逐次的に行われる。ここで、電子ペン１のペンダウンからペンアップまでの間に生成されて受付端末２に送信された１個又は複数個の記入情報（座標属性情報）は、受付端末２によりストローク情報として記憶される。換言すると、１つのストロークは、１個又は複数個のＸ，Ｙ座標（座標点）に基づいて描画されるため、受付端末２は、ペンダウン情報及びペンアップ情報によって、１つのストロークを描画するために必要な１個又は複数個の座標属性情報を認識する。このように、申込者が１つのストロークを記入することにより、電子ペン１によって生成される座標属性情報の集合を「ストローク情報」と呼ぶ。また、ペン先部１０３は、筆圧を、インクカートリッジ１０４を介して圧力センサ１０７に伝達する。
【００３２】
［受付端末］
受付端末２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等を含むパーソナルコンピュータ等で構成される。
図６は、申込用紙記入情報処理システム１０のうち、受付端末２とデータ保存用サーバ４との機能ブロック図である。
図６に示すように、受付端末２は、機能的には、受信手段２１と、入力手段２２と、記憶手段２３と、表示手段２４と、送信手段２５と、処理手段２６とを備える。
【００３３】
受信手段２１は、アンテナ送受信回路等により構成され、電子ペン１から記入情報等を受信し、処理手段２６に伝送する。なお、電子ペン１とのデータ通信方式は、有線及び無線を含めて様々な手法が利用可能であるが、本実施形態ではＢｌｕｅｔｏｏｔｈ（登録商標）を用いる通信方式が採用されている。
入力手段２２は、マウスやキーボード等により構成され、申込者の操作に応じた各種情報を入力し、処理手段２６に供給する。
記憶手段２３は、ハードディスクやＲＯＭ、ＲＡＭといったメモリによって構成される。記憶手段２３は、処理手段２６の指示に従って、電子ペン１から受信した記入情報をペンＩＤ毎に記憶する他、後述の処理手段２６から出力された文字情報等、各種情報を記憶する。記憶手段２３はまた、申込用紙３のフォーマット情報を記憶する。申込用紙３のフォーマット情報は、申込用紙３に印刷されたドットパターンと各記入欄との対応関係や、各記入欄と他の記入欄との対応関係等の情報を含む。
【００３４】
表示手段２４は、処理手段２６によって指示された内容を画像として表示する。なお、表示手段２４に表示される画像の具体例については、図７〜図１１を参照して後述する。
送信手段２５は、処理手段２６の指示に従って、後述の処理手段２６から出力された文字情報等、各種情報をデータ保存用サーバ４に送信する。なお、データ保存用サーバ４へのデータ送信方式は、特に限定されないが、本実施形態では、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）プロトコルに準拠したネットワークを介在する方式が採用されている。
【００３５】
処理手段２６は、受信手段２１〜送信手段２５を制御して各種情報を授受することで、各種の処理を実行する。
【００３６】
例えば、処理手段２６は、受信手段２１に受信された電子ペン１の記入情報から、申込用紙３に含まれる各記入欄（チェックボックス含む）のうち、電子ペン１による記入対象となった記入欄を認識する。具体的には、処理手段２６は、記入情報と予め既知のドットの配置から、申込用紙３のどの位置に記入がなされたかを特定する。そして、処理手段２６は、申込用紙３上の位置と、申込用紙３の各記入欄との対応関係に基づいて、記入対象の記入欄を特定する。
なお、申込用紙３上の各記入欄とドットパターン上の座標範囲との対応関係を示すテーブル（座標定義情報）は、上述した申込用紙３のフォーマット情報に含められて、記憶手段２３に記憶されているものとする。
【００３７】
処理手段２６は、申込用紙３を示す画像（図２と同様の画像であり、以下、「申込用紙画像」と呼ぶ）を表示手段２４に表示させる。
処理手段２６は、受信手段２１に受信された電子ペン１の記入情報から、記入対象の記入欄に記入されたストローク群を描画して、記入対象の記入欄内の対応する位置に表示させる。
申込者は、表示手段２４に表示された申込用紙画像を視認することで、正しい記入ができているか否かを容易に確認することができる。
【００３８】
さらに、処理手段２６は、記入対象の記入欄について、ストローク群を認識した場合、次のような処理を実行する。
即ち、処理手段２６は、記憶手段２３に記憶されたフォーマット情報を参照して、当該記入対象の記入欄と関連する他の記入欄、例えば次に記入対象となる他の記入欄が存在するか否かを判定する。
そして、処理手段２６は、関連する他の記入欄があると判断した場合は、表示手段２４に表示された申込用紙画像のうち、当該他の記入欄に対応する部分を強調表示させる。なお、強調表示の具体例については、図７〜図１１を参照して後述する。
【００３９】
ここで、処理手段２６によって認識されるストローク群としては、チェックボックス以外の記入欄に記入された文字を示すものと、チェックボックスに記入された「レ」の記号を示すものが存在する。そこで、処理手段２６は、チェックボックス以外の記入欄に対応するストローク群を認識した場合には、文字認識処理により、当該ストローク群により表わされる文字を認識する。
処理手段２６は、認識した文字情報や、「レ」の記号を示すストローク群（以下、これらをまとめて「文字情報群」と呼ぶ）を、送信手段２５から図示せぬネットワークを介してデータ保存用サーバ４に送信する。
【００４０】
［データ保存用サーバ］
データ保存用サーバ４は、ハードウェアとして、ＣＰＵ等のプロセッサ、ＲＯＭやＲＡＭといったメモリ、ディスプレイ、マウスやキーボード等を含むコンピュータ等で構成される。
図６に示すように、データ保存用サーバ４は、機能的には、受信手段４１と、記憶手段４２と、送信手段４３と、処理手段４４とを備える。
【００４１】
受信手段４１は、ネットワークを介して受付端末２から送信されてきた文字情報等の各種情報を受信し、処理手段４４に伝送する。
記憶手段４２は、処理手段４４の指示に従って、受信手段４１に受信された文字情報等、各種情報を記憶する。
送信手段４３は、処理手段４４の指示に従って、記憶手段４２に記憶された文字情報等、各種情報を金融機関の各種端末（図示せず）に送信する。
処理手段５４は、受信手段４１〜送信手段４３を制御して各種情報を授受することで、各種の処理を実行する。
金融機関の担当者等は、記憶手段４２に保存された情報や送信手段４３から送信された情報から、申込用紙３に記入された必要事項を読み出し、カードの発行に必要な各種手続きを行う。
【００４２】
以下、このように構成された申込用紙記入情報処理システムの動作のうち、受付端末２による申込用紙画像の表示の動作の一例について説明する。
図７は、申込用紙３における住居情報記入欄３３内のチェックボックス３３１に対して、チェックを示す「レ」の記号が記入された場合における、受付端末２の表示手段２４に表示される申込用紙画像の一例を示す。
申込用紙画像３Ｐが表示手段２４に表示されている状態で、持ち家に住んでいる申込者は、電子ペン１を用いて、チェックボックス３３１に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３３１であることを認識し、図７に示すように、「レ」の記号を示すストロークを描画して、チェックボックス３３１に対応するチェックボックス画像３３１Ｐ内に表示させる。
処理手段２６は、記憶手段２３に記憶されたフォーマット情報を参照して、当該チェックボックス３３１と関連する他の記入欄、例えば次に記入対象となる他の記入欄が存在するか否かを判断する。
上述したように、金融機関は、カードの発行より生ずるリスクを評価するために、申込者の住居の種類が持ち家の場合、住宅ローンの有無を把握する必要がある。このため、申込者は、チェックボックス３３１をチェックした場合には、次に、チェックボックス３３３，３３４のうち何れか一方をチェックする必要がある。このため、チェックボックス３３１と関連する他の記入欄がチェックボックス３３３，３３４であることを示す情報が、申込用紙３のフォーマット情報の一部として記憶手段２３に記憶されている。
そこで、処理手段２６は、記憶手段２３に記憶されたフォーマット情報に基づいて、チェックボックス３３１と関連する他の記入欄として、チェックボックス３３３，３３４が存在すると判断する。
そして、処理手段２６は、表示手段２４に表示された申込用紙画像３Ｐのうち、チェックボックス３３３，３３４に対応するチェックボックス画像３３３Ｐ，３３４Ｐを強調表示させる。
ここで、強調表示の形態は、特に限定されないが、本実施形態では、チェックボックス画像３３３Ｐ，３３４Ｐ内が反転表示（図７中黒塗りで表示）されることで、強調表示が実現されている。
申込者は、このような強調表示されたチェックボックス画像Ｐ３３３，３３４Ｐを視認することで、申込用紙３のうち、チェックボックス３３３又は３３４が次に記入すべき箇所であることを容易に認識することができる。このようにして、申込者にとって、申込用紙への記入作業が容易となり、記入漏れを効果的に防止することができる。
その後、申込者が、電子ペン１を用いて、チェックボックス３３３又は３３４に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３３３又は３３４であることを認識し、図示はしないが、チェックボックス画像３３３Ｐ及び３３４Ｐの強調表示を取止めて（本例では反転表示を取りやめて）通常表示とする。そして、処理手段２６は、「レ」の記号を示すストロークを描画して、チェックボックス画像３３３Ｐ又は３３４Ｐ内に表示させる。
【００４３】
図８は、申込用紙３における住居情報記入欄３３内のチェックボックス３３２に対して、チェックを示す「レ」の記号が記入された場合における、受付端末２の表示手段２４に表示される申込用紙画像の一例を示す。
申込用紙画像３Ｐが表示手段２４に表示されている状態で、賃貸に住んでいる申込者は、電子ペン１を用いて、チェックボックス３３２に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３３２であることを認識し、図８に示すように、「レ」の記号を示すストロークを描画して、チェックボックス３３２に対応するチェックボックス画像３３２Ｐ内に表示させる。
処理手段２６は、記憶手段２３に記憶されたフォーマット情報を参照して、当該チェックボックス３３２と関連する他の記入欄、例えば次に記入対象となる他の記入欄が存在するか否かを判断する。
上述したように、金融機関は、カードの発行より生ずるリスクを評価するために、申込者の住居の種類が賃貸の場合、賃借支払いの有無を把握する必要がある。このため、申込者は、チェックボックス３３２をチェックした場合には、次に、チェックボックス３３５，３３６のうち何れか一方をチェックする必要がある。このため、チェックボックス３３１と関連する他の記入欄がチェックボックス３３５，３３６であることを示す情報が、申込用紙３のフォーマット情報の一部として記憶手段２３に記憶されている。
そこで、処理手段２６は、記憶手段２３に記憶されたフォーマット情報に基づいて、チェックボックス３３２と関連する他の記入欄として、チェックボックス３３５，３３６が存在すると判断する。
そして、処理手段２６は、表示手段２４に表示された申込用紙画像３Ｐのうち、チェックボックス３３５，３３６に対応するチェックボックス画像３３５Ｐ，３３６Ｐを強調表示させる。
ここで、強調表示の形態は、特に限定されないが、本実施形態では、チェックボックス画像３３５Ｐ，３３６Ｐ内が反転表示（図７中黒塗りで表示）されることで、強調表示が実現されている。
申込者は、このような強調表示されたチェックボックス画像３３５Ｐ，３３６Ｐを視認することで、申込用紙３のうち、チェックボックス３３５又は３３６が次に記入すべき箇所であることを容易に認識することができる。このようにして、申込者にとって、申込用紙への記入作業が容易となり、記入漏れを効果的に防止することができる。
その後、申込者が、電子ペン１を用いて、チェックボックス３３５又は３３６に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３３５又は３３６であることを認識し、図示はしないが、チェックボックス画像３３５Ｐ及び３３６Ｐの強調表示を取止めて（本例では反転表示を取りやめて）通常表示とする。そして、処理手段２６は、「レ」の記号を示すストロークを描画して、チェックボックス画像３３５Ｐ又は３３６Ｐ内に表示させる。
【００４４】
図９は、申込用紙３における収入源記入欄３４内のチェックボックス３４１に対して、チェックを示す「レ」の記号が記入された場合における、受付端末２の表示手段２４に表示される申込用紙画像の一例を示す。
申込用紙画像３Ｐが表示手段２４に表示されている状態で、一般企業に勤務している申込者は、電子ペン１を用いて、チェックボックス３４１に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３４１であることを認識し、図９に示すように、「レ」の記号を示すストロークを描画して、チェックボックス３４１に対応するチェックボックス画像３４１Ｐ内に表示させる。
処理手段２６は、記憶手段２３に記憶されたフォーマット情報を参照して、当該チェックボックス３４１と関連する他の記入欄、例えば次に記入対象となる他の記入欄が存在するか否かを判断する。
上述したように、金融機関は、カードの発行より生ずるリスクを評価するために、申込者が収入のある者に該当する場合、その勤務先を把握する必要がある。このため、申込者は、チェックボックス３４１をチェックした場合には、次に、勤務先記入欄３５に勤務先に関する情報を記入する必要がある。このため、チェックボックス３４１と関連する他の記入欄が勤務先記入欄３５であることを示す情報が、申込用紙３のフォーマット情報の一部として記憶手段２３に記憶されている。
そこで、処理手段２６は、記憶手段２３に記憶されたフォーマット情報に基づいて、チェックボックス３４１と関連する他の記入欄として、勤務先記入欄３５が存在すると判断する。
そして、処理手段２６は、表示手段２４に表示された申込用紙画像３Ｐのうち、勤務先記入欄３５に対応する勤務先記入欄画像３５Ｐを強調表示させる。
ここで、強調表示の形態は、特に限定されないが、本実施形態では、勤務先記入欄画像３５Ｐのうち、その勤務先の名称が記入される記入欄３５１に対応する記入欄画像３５１Ｐと、当該勤務先の所在地が記入される記入欄３５２に対応する記入欄画像３５２Ｐとの各々が反転表示（図７中灰色塗りで表示）されることで、強調表示が実現されている。
申込者は、このような強調表示された勤務先記入欄画像３５Ｐを視認することで、申込用紙３のうち勤務先記入欄３５が次に記入すべき箇所であることを容易に視認することができる。より具体的には、申込者は、強調表示された記入欄画像３５１Ｐに対応する記入欄３５１と、強調表示された記入欄画像３５２Ｐに対応する記入欄３５２とが、次に記入すべき箇所であることを容易に認識することができる。このようにして、申込者にとって、申込用紙への記入作業が容易となり、記入漏れを効果的に防止することができる。
その後、申込者が、電子ペン１を用いて、勤務先の名称を示すストローク群を記入欄３５１に記入し、当該勤務先の所在地を示すストローク群を記入欄３５２に記入する。
受付端末２の受信手段２１は、この間に電子ペン１から逐次送信されてくる各記入情報を受信する。処理手段２６は、受信手段２１に逐次受信される記入情報から、記入対象の記入欄は勤務先記入欄３５における記入欄３５１及び３５２であることを認識し、図示はしないが、記入欄画像３５１Ｐ及び３５２Ｐの強調表示を取止めて（本例では反転表示を取りやめて）通常表示とする。そして、処理手段２６は、勤務先の名称を示すストローク群を描画して記入欄画像３５１Ｐ内に表示させるとともに、当該勤務先の所在地を示すストローク群を描画して記入欄画像３５２Ｐ内に表示させる。
【００４５】
なお、申込用紙３における収入源記入欄３４内のチェックボックス３４２〜３４６の何れかに対して、チェックを示す「レ」の記号が記入された場合にも、上述の図９の申込用紙画像３Ｐと基本的に同様の画像が表示手段２４に表示される。
基本的に同様としたのは、記入対象のチェックボックス画像（チェックボックス３４２〜３４６の何れかに対応するチェックボックス画像）内に「レ」の記号を示すストロークが表示されて、チェックボックス３４１を含めて他のチェックボックス内には表示されない点が、図９の申込用紙画像３Ｐと異なるからである。
【００４６】
図１０は、申込用紙３における収入源記入欄３４内のチェックボックス３４７に対して、チェックを示す「レ」の記号が記入された場合における、受付端末２の表示手段２４に表示される申込用紙画像の一例を示す。
申込用紙画像３Ｐが表示手段２４に表示されている状態で、配偶者に収入がある者に該当する申込者は、電子ペン１を用いて、チェックボックス３４７に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３４７であることを認識し、図１０に示すように、「レ」の記号を示すストロークを描画して、チェックボックス３４７に対応するチェックボックス画像３４７Ｐ内に表示させる。
処理手段２６は、記憶手段２３に記憶されたフォーマット情報を参照して、当該チェックボックス３４７と関連する他の記入欄、例えば、当該チェックボックス３４７がチェックされた場合に記入禁止となる他の記入欄が存在するか否かを判断する。
ここで、図２の収入源記入欄３４（図１０の収入源記入欄画像３４Ｐ）において、申込者の配偶者に収入のある場合にチェックされるチェックボックス３４７（図１０のチェックボックス画像３４７Ｐ）の下方には、［５］［６］への記入は不要と表記されている。即ち、チェックボックス３４７がチェックされた場合には、勤務先記入欄３５及び学校記入欄３６が記入禁止となる。このため、チェックボックス３４７と関連する他の記入欄が勤務先記入欄３５及び学校記入欄３６であることを示す情報が、申込用紙３のフォーマット情報の一部として記憶手段２３に記憶されている。
そこで、処理手段２６は、記憶手段２３に記憶されたフォーマット情報に基づいて、チェックボックス３４７と関連する他の記入欄として、勤務先記入欄３５及び学校記入欄３６が存在すると判断する。
そして、処理手段２６は、表示手段２４に表示された申込用紙画像３Ｐのうち、勤務先記入欄３５に対応する勤務先記入欄画像３５Ｐと、学校記入欄３６に対応する学校記入欄画像３６Ｐとの各々について強調表示をさせる。
ここで、強調表示の形態は、記入禁止であることが視認可能であれば特に限定されない。本実施形態では、勤務先記入欄画像３５Ｐのうち、その勤務先の名称が記入される記入欄３５１に対応する記入欄画像３５１Ｐと、当該勤務先の所在地が記入される記入欄３５２に対応する記入欄画像３５２Ｐとの各々に対して、バツ印が重畳表示されることで、記入禁止を示す強調表示が実現されている。同様に、学校記入欄画像３６Ｐのうち、その学校の名称が記入される記入欄３６１に対応する記入欄画像３６１Ｐと、当該学校の所在地が記入される記入欄３６２に対応する記入欄画像３６２Ｐとの各々について、バツ印の表示がなされることで、記入禁止を示す強調表示が実現されている。
申込者は、自己に収入がなくて配偶者に収入のある者に該当する場合、その旨を告知すべくチェックボックス３４７をチェックすると、記入禁止を示す強調表示（本例ではバツ印）がされた勤務先記入欄画像３５Ｐ及び学校記入欄画像３６Ｐを視認することができる。これにより、申込者は、チェックボックス３４７をチェックするだけで、勤務先記入欄画像３５Ｐ及び学校記入欄画像３６Ｐへの記入の必要がないことを容易に認識することができる。このようにして、申込者にとって、申込用紙への記入作業が容易となり、記入間違いを効果的に防止することができる。
【００４７】
図１１は、申込用紙３における収入源記入欄３４内のチェックボックス３４８に対して、チェックを示す「レ」の記号が記入された場合における、受付端末２の表示手段２４に表示される申込用紙画像の一例を示す。
申込用紙画像３Ｐが表示手段２４に表示されている状態で、学生である申込者は、電子ペン１を用いて、チェックボックス３４８に対して、「レ」の記号を示す手書きのストロークを記入する。
受付端末２の受信手段２１は、この間に電子ペン１から逐次送信されてくる各記入情報を受信する。処理手段２６は、受信手段２１に逐次受信される記入情報から、記入対象の記入欄はチェックボックス３４８であることを認識し、図１１に示すように、「レ」の記号を示すストロークを描画して、チェックボックス３４８に対応するチェックボックス画像３４８Ｐ内に表示させる。
処理手段２６は、記憶手段２３に記憶されたフォーマット情報を参照して、当該チェックボックス３４８と関連する他の記入欄、例えば次に記入対象となる他の記入欄が存在するか否かを判断する。
上述したように、金融機関は、カードの発行より生ずるリスクを評価するために、申込者が学生である場合、通学している学校を把握する必要がある。このため、申込者は、チェックボックス３４８をチェックした場合には、次に、学校記入欄３６に学校に関する情報を記入する必要がある。このため、チェックボックス３４１と関連する他の記入欄が学校記入欄３６であることを示す情報が、申込用紙３のフォーマット情報の一部として記憶手段２３に記憶されている。
そこで、処理手段２６は、記憶手段２３に記憶されたフォーマット情報に基づいて、チェックボックス３４８と関連する他の記入欄として、学校記入欄３６が存在すると判断する。
そして、処理手段２６は、表示手段２４に表示された申込用紙画像３Ｐのうち、学校記入欄３６に対応する学校記入欄画像３６Ｐを強調表示させる。
ここで、強調表示の形態は、特に限定されないが、本実施形態では、学校記入欄画像３６Ｐのうち、学校の名称が記入される記入欄３６１に対応する記入欄画像３６１Ｐと、当該学校の所在地が記入される記入欄３６２に対応する記入欄画像３６２Ｐとの各々が反転表示（図７中灰色塗りで表示）されることで、強調表示が実現されている。
申込者は、このような強調表示された学校記入欄画像３６Ｐを視認することで、申込用紙３のうち学校記入欄３６が次に記入すべき箇所であることを容易に視認することができる。より具体的には、申込者は、強調表示された記入欄画像３６１Ｐに対応する記入欄３６１と、強調表示された記入欄画像３６２Ｐに対応する記入欄３６２とが、次に記入すべき箇所であることを容易に認識することができる。このようにして、申込者にとって、申込用紙への記入作業が容易となり、記入漏れを効果的に防止することができる。
その後、申込者が、電子ペン１を用いて、学校の名称を示すストローク群を記入欄３６１に記入し、当該学校の所在地を示すストローク群を記入欄３６２に記入する。
受付端末２の受信手段２１は、この間に電子ペン１から逐次送信されてくる各記入情報を受信する。処理手段２６は、受信手段２１に逐次受信される記入情報から、記入対象の記入欄は学校記入欄３６における記入欄３６１及び３６２であることを認識し、図示はしないが、記入欄画像３６１Ｐ及び３６２Ｐの強調表示を取止めて（本例では反転表示を取りやめて）通常表示とする。そして、処理手段２６は、学校の名称を示すストローク群を描画して記入欄画像３６１Ｐ内に表示させるとともに、当該学校の所在地を示すストローク群を描画して記入欄画像３６２Ｐ内に表示させる。
【００４８】
以上の内容を換言すると、階層的に設定された質問事項の各々に応答する各記入欄のうち、所定階層の質問事項についての記入欄に対する応答が電子ペン１で記入されると、記入された応答の内容に応じて、当該所定階層よりも下層の質問事項についての記入欄に対応する記入欄画像が強調表示される。
【００４９】
具体的には、図７及び図８の例でいえば、申込者の住居に関する情報を得るための質問事項が階層的に設定されており、このような階層的に設定された質問事項に応答する記入欄が、住居情報記入欄３３における各種チェックボックス３３１〜３３６である。
即ち、最上位の階層の質問事項が、申込者の住居の種類が持ち家と賃貸とのうち何れなのかという質問事項であり、これらの質問事項に応答する記入欄が、チェックボックス３３１，３３２である。
チェックボックス３３１がチェックされた場合（「レ」の記号が記入された場合）、応答内容が、申込者の住居の種類が持ち家であるという意味であるため、持ち家に関する情報を得るための質問事項、即ち住宅ローンの有無が下層の質問事項になる。このため、チェックボックス３３１がチェックされると、住宅ローンの有無を応答するためのチェックボックス３３３，３３４に対応するチェックボックス画像３３３Ｐ，３３４Ｐが強調表示される（図７参照）。
これに対して、チェックボックス３３２がチェックされた場合（「レ」の記号が記入された場合）、応答内容が、申込者の住居の種類が賃貸であるという意味であるため、賃貸に関する情報得るための質問事項、即ち賃借支払いの有無が下層の質問事項になる。このため、チェックボックス３３２がチェックされると、賃借支払いの有無を応答するためのチェックボックス３３５，３３６が強調表示される（図８参照）。
【００５０】
また、図９〜図１１の例でいえば、申込者の収入源に関する情報を得るための質問事項が階層的に設定されており、このような階層的に設定された質問事項に応答する記入欄が、収入源記入欄３４における各種チェックボックス３４１〜３４８、並びに、勤務先記入欄３５及び学校記入欄３６である。
即ち、最上位の階層の質問事項が、申込者の収入源は何であるのかという質問事項であり、これらの質問事項に応答する記入欄が、チェックボックス３４１〜３４８である。
チェックボックス３４１〜３４６のうちの何れかがチェックされた場合（「レ」の記号が記入された場合）、応答内容が、申込者本人に収入がある（自己が収入源である）という意味であるため、勤務先に関する情報得るための質問事項、即ち勤務先の名称及び所在地が下層の質問事項になる。このため、チェックボックス３４１〜３４６のうちの何れかがチェックされると、勤務先の名称及び所在地を応答するための勤務先記入欄３５内の記入欄３５１，３５２に対応する記入欄画像３５１Ｐ，３５２Ｐが強調表示される（図９参照）。
また、チェックボックス３４８がチェックされた場合（「レ」の記号が記入された場合）、応答内容が、申込者が学生という意味であるため、学校に関する情報得るための質問事項、即ち学校の名称及び所在地が下層の質問事項になる。このため、チェックボックス３４８がチェックされると、学校の名称及び所在地を応答するための学校記入欄３６内の記入欄３６１，３６２に対応する記入欄画像３６１Ｐ，３６２Ｐが強調表示される（図１１参照）。
一方、チェックボックス３４７がチェックされた場合（「レ」の記号が記入された場合）、応答内容が、申込者の配偶者に収入があるという意味であるため、下層の質問事項に対する応答は不要になる。このため、チェックボックス３４７がチェックされると、勤務先記入欄３５及び学校記入欄３６の各々に対応する勤務先記入欄画像３５Ｐ及び学校記入欄画像３６Ｐに対して、記入禁止を示す強調表示（バツ印の表示）がなされる（図１０参照）。
【００５１】
以上、本考案の一実施形態について説明したが、本考案は、この一実施形態に限られない。
【００５２】
例えば、本考案で適用可能な申込用紙は、所定の申し込みに必要な記入事項として、階層的に設定された質問事項の各々に対応する応答がそれぞれ記入される各記入欄を含み、コード化パターンが当該各記入欄のそれぞれに少なくとも印刷された申込用紙であれば足り、上述の申込用紙３に特に限られない。
【００５３】
また、申込用紙の媒体は、アノト式のドットパターンが印刷された紙媒体に特に限られず、アノト式のドットパターンが印刷された任意の書き込み媒体であってもよい。また、書き込み媒体に印刷されるコード化パターン、記入情報、電子ペンは、アノト方式に限られなくともよい。
さらにいえば、本考案が適用される記入欄は、申込用紙に用いられる必要は特になく、階層的に設定された質問事項の各々に対応する応答がそれぞれ記入される用途の媒体に広く一般に適用可能である。
【００５４】
また、記入情報の送信方式は、上述の無線方式である必要は特になく、例えば、電子ペン１内のメモリ１０９に一旦記入情報を記憶させ、ＵＳＢ接続により有線で記入情報を受付端末２へ送信する方式を採用してもよい。
【符号の説明】
【００５５】
１…電子ペン
２…受付端末
３…申込用紙
４…データ保存用サーバ
１０…申込用紙記入情報処理システム
２１…受信手段
２２…入力手段
２３…記憶手段
２４…表示手段
２５…送信手段
２６…処理手段
４１…受信手段
４２…記憶手段
４３…送信手段
４４…処理手段
【図１】
0003169832.tif 000003
【図２】
0003169832.tif 000004
【図３】
0003169832.tif 000005
【図４】
0003169832.tif 000006
【図５】
0003169832.tif 000007
【図６】
0003169832.tif 000008
【図７】
0003169832.tif 000009
【図８】
0003169832.tif 000010
【図９】
0003169832.tif 000011
【図１０】
0003169832.tif 000012
【図１１】
0003169832.tif 000013